(57)【特許請求の範囲】
【請求項１】
ルアー本体の先端にリップが設けられた釣り用ルアーであって、
上記リップの表面に一対の凹部が左右対称に形成されており、
上記各凹部は上記リップの前側に沿って形成されているとともに、上記リップの前側から後方に向かって徐々に深くなることを特徴とする釣り用ルアー。
【請求項２】
上記各凹部は上記リップの前側に沿う部分で幅広であり後方に向かって幅狭となることを特徴とする請求項１に記載の釣り用ルアー。
【請求項３】
上記各凹部内の最後方部には上記リップの表面から裏面へと貫通する貫通穴が形成されていることを特徴とする請求項１又は２に記載の釣り用ルアー。
【請求項４】
上記ルアー本体の下面には上記貫通穴を流れ出る水を上記ルアー本体の後方に導く流路が形成されていることを特徴とする請求項３に記載の釣り用ルアー。
【発明の詳細な説明】
【０００１】
【発明の属する技術分野】
本発明は、リップが設けられた釣り用ルアーに関する。
【０００２】
【従来の技術】
従来から、魚等に似せて形成されたルアー本体の先端に、リップと称される水流抵抗板が設けられた釣り用ルアーが知られている。このようにした釣り用ルアーでは、リップが水が抵抗を受けてルアーが潜行するとともに、揺動等のルアーアクションを演出することができる。
【０００３】
【発明が解決しようとする課題】
上記リップの大きさや形状、ルアー本体に対する取り付け角度等は多種多様なものが知られているが、そのほとんどは表面がのっぺりとした平面形状とされている。そのため、リップで水をしっかりとつかむことができずに、ルアーが潜行していくときに湖底や障害物に接触してルアーが傾くと、バランスが崩れて跳ね上がってしまうようなことがあった。
【０００４】
本発明は上記の点に鑑みてなされたものであり、ルアーが潜行していくときに湖底や障害物に接触しても、安定して泳ぎ続けるようにした釣り用ルアーを提供することを目的とする。
【０００５】
【課題を解決するための手段】
本発明の釣り用ルアーは、ルアー本体の先端にリップが設けられた釣り用ルアーであって、上記リップの表面に一対の凹部が左右対称に形成されており、上記各凹部は上記リップの前側に沿って形成されているとともに、上記リップの前側から後方に向かって徐々に深くなる点に特徴を有する。
【０００６】
また、本発明の釣り用ルアーの他の特徴とするところは、上記各凹部は上記リップの前側に沿う部分で幅広であり後方に向かって幅狭となる点にある。
【０００７】
また、上記各凹部内の最後方部には上記リップの表面から裏面へと貫通する貫通穴が形成されている点にある。また、上記ルアー本体の下面には上記貫通穴を流れ出る水を上記ルアー本体の後方に導く流路が形成されている点にある。
【０００８】
【発明の実施の形態】
以下、図面を参照して、本発明の釣り用ルアーの好適な実施の形態について説明する。
【０００９】
ルアー本体１は、各図では簡単に示すが、合成樹脂等の材料を用いて魚等に似せた外観形状とされており、目玉２やえら３が立体的に再現されている。下腹部及び尾部には、図示しない釣り針を連結するためのリング４、５が配設されている。
【００１０】
ルアー本体１の先端には、リップ６と称される水流抵抗板が斜め下方に突出するように設けられている。リップ６はルアー本体と一体形成されており、多くの場合、水中で目立たないように透明とされる。
【００１１】
図２〜４に示すように、リップ６は、根元側から直線的に八の字状に広がるとともに（符号６ａで示す部分）、緩やかな曲線によりさらに幅広となってから（符号６ｂで示す部分）先端に向けて幅狭となる（符号６ｃで示す部分）輪郭とされている。
【００１２】
また、リップ６の表面は平面形状とされるのに対して、裏面は内側に向かって徐々に肉厚となる曲面形状とされている。さらにリップ６裏面の根元側中央部分では肉厚の結合部７が一体形成されており、その結合部７がルアー本体１の先端に結合する。なお、リップ６の表面には釣り糸を結ぶためのリング８が配設されている。
【００１３】
ここで、図２、４に示すように、リップ６の表面には一対の凹部９が左右対称に形成されている。これら凹部９はリップ６の前側に沿って形成されており、さらにリップ６の中央付近をまっすぐに延びる縁９ａと、リップ６の中央付近から側部前方に斜めに延びる縁９ｂとを有する。すなわち、各凹部９は、リップ６の前側に沿う部分９ｃが幅広であり後方に向かって幅狭となる形状となっている。
【００１４】
また、各凹部９は、リップ６の前側に沿う部分９ｃではリップ６の表面と同じ高さ位置にあるが、後方に向かって徐々に深くなっている。
【００１５】
各凹部９の最後部すなわち最深部には、リップ６の表面から裏面へと貫通する貫通穴１０が形成される。これら貫通穴１０は、リップ６を斜めに貫通し、ルアー本体１と平行に近い角度となるように形成されている。そして、貫通穴１０の後開口１０ａが結合部７の側部に位置し、貫通穴１０を流れ出る水が結合部７の側面に沿って流れるようになっている（図３の矢印Ｘ）。
【００１６】
ルアー本体１の顔部において、目玉２の後方では凹凸によりえら３が立体的に形成されている。そして、ルアー本体１の下面ではえら３の内側が抉られており、顔部の両側でえら３が垂れ下がるような形態となっている。すなわち、図５に示すように、ルアー本体１の下面ではえら３の内側に沿って溝１１が形成される。そして、リップ６の貫通穴１０を流れ出る水が、結合部７の側面から溝１１に沿ってルアー本体１の後方へと導かれることになる（図３の矢印Ｘ）。
【００１７】
また、ルアー本体１の下腹部から尾部にかけての位置において、ルアー本体１の両側を曲面形状に凹ませてなる抉れ１２が形成されており、ルアー本体１の下面では抉れ１２に対応する部分を下方に突出させている（突出部１３）。
【００１８】
以上述べた構成とされた釣り用ルアーにおいては、リップ６の表面に一対の凹部９が左右対称に形成されているので、リップ６が水の抵抗を受けてルアーが潜行するに際して、湖底や障害物に接触しルアーが傾いてルアーが受ける水流の角度が変化しても、左右のリップ６がしっかりと水を取り込んで、バランスを崩して跳ね上がるのを防ぐことができる。
【００１９】
図１〜５で説明した本実施の形態の釣り用ルアーは、リップ６が比較的大きく、ルアー本体１に対して平行に近い角度で取り付けられている中・低層用のタイプである。この場合、上述したように水をしっかりとつかんで、湖底や障害物に接触しても跳ね上がるのを防ぐことができるので、湖底をトレースするような動きが可能となる。例えば、湖底が石畳の場合でも、湖底に接触した場合に跳ね上がってバランスを崩したまま滑っていくことがなく、安定して泳ぎ続けることができる。したがって、対象魚にハゼやザリガニ等の湖底（低層）にいる動物を意識させることができ、対象魚が低層動物を捕食するものや水温等の条件で湖底にいる場合に効果的である。
【００２０】
また、凹部９でつかんだ水は、貫通穴１０を通って、結合部７の側面からルアー本体１の下面の溝１１（えら３の内側）沿ってルアー本体１の後方へと導かれるので、水きれがよく、また、整流機能を発揮して、バランスを保つことができる。
【００２１】
なお、リップ６に形成した一対の凹部９だけでなく、ルアー本体１の形状、リップの大きさや形状、ウエイトバランス等を適宜対応させて、ルアーが潜行していくときに湖底や障害物に接触しても、安定して泳ぎ続けるようにする。本実施の形態では、一例として、ルアー本体１の両側に抉れ１２を形成することにより、ルアー本体１の後方においても整流機能を発揮するとともに、バランスを保つようにしている。
【００２２】
上記実施の形態において示した各部の形状及び構造は、何れも本発明を実施するにあたっての具体化のほんの一例を示したものに過ぎず、これらによって本発明の技術的範囲が限定的に解釈されてはならないものである。すなわち、本発明はその精神、又はその主要な特徴から逸脱することなく、様々な形で実施することができる。例えば、上記実施の形態では、リップ６が比較的大きく、ルアー本体１に対して平行に近い角度で取り付けられている中・低層用のタイプを説明したが、もちろん高層用のタイプ等に適用してもかまわない。
【００２３】
【発明の効果】
以上説明したように本発明によれば、リップの表面に一対の凹部が左右対称に形成されており、上記各凹部は上記リップの前側に沿って形成されているとともに、上記リップの前側から後方に向かって徐々に深くなるので、リップが水の抵抗を受けてルアーが潜行するに際して、湖底や障害物に接触しルアーが傾いてルアーが受ける水流の角度が変化しても、左右のリップがしっかりと水を取り込んで、バランスを崩して跳ね上がるのを防ぐことができる。
【図面の簡単な説明】
【図１】本実施の形態の釣り用ルアーの側面図である。
【図２】本実施の形態の釣り用ルアーの斜視図である。
【図３】本実施の形態の釣り用ルアーの下面を示す図である。
【図４】リップを示す図であり、（ａ）が平面図、（ｂ）が側面図、（ｃ）が底面図である。
【図５】図１のＶ−Ｖ線の断面を簡単に示した図である。
【符号の説明】
１      ルアー本体
６      リップ
９      凹部
９ｃ    リップ６の前側に沿う部分
１０    貫通穴
１１    （本発明の流路に相当する）溝
【図１】
0004002137.tif 000002
【図２】
0004002137.tif 000003
【図３】
0004002137.tif 000004
【図４】
0004002137.tif 000005
【図５】
0004002137.tif 000006